(57)【要約】【課題】書類入に加工を施す必要がなく書類入の開口部を止めることができ、収納物の量に応じて柔軟に書類入の開口部を止めることができ、書類入の封緘作業を容易に行うことができるものを提供する。【解決手段】封緘シート１は、再粘着再剥離可能な粘着部４０を裏面に有し、フォルダ８０Ａ（書類入８０）の開口部８２に渡らせるとともに、粘着部４０をフォルダ８０Ａ（書類入８０）に粘着させて、フォルダ８０Ａ（書類入８０）の開口部８２の一部を止めるものとする。【選択図】図１
2011154329.tif 000002
【特許請求の範囲】
【請求項１】
書類入を封緘する封緘シートであって、
再粘着再剥離可能な粘着部を裏面に有し、
前記書類入の開口部に渡らせるとともに、前記粘着部を前記書類入に粘着させて前記書類入の開口部の一部を止める、封緘シート。
【請求項２】
前記粘着部は、少なくとも前記裏面の両端部に配置される、請求項１に記載の封緘シート。
【請求項３】
前記両端部における縁部の形状が、異なるように構成される、請求項１または請求項２に記載の封緘シート。
【発明の詳細な説明】
【技術分野】
【０００１】
本発明は、書類入の開口部を止めて書類入を封緘する技術に関する。
【背景技術】
【０００２】
従来、書類入の開口部を止めて書類入を封緘し、書類入に収納された収納物（書類、写真、新聞、カード類等）が当該開口部から脱落することを防止する技術は、種々知られている。
例えば、書類入における二枚の表紙にそれぞれ形成される取付け孔に、帯状の部材をそれぞれ係止して書類入の開口部を止める技術が知られている（特許文献１参照）。
また、書類入の開口部に備えられたファスナーにて当該開口部を止める技術も知られている（特許文献２参照）。
【先行技術文献】
【特許文献】
【０００３】
【特許文献１】実開平４−１２００８２号公報
【特許文献２】特開２００７−２８３６９４号公報
【発明の概要】
【発明が解決しようとする課題】
【０００４】
しかしながら、前記取付け孔に帯状部材を係止させて書類入の開口部を止めるものでは、表裏の表紙に取付け孔を形成する加工が必要であるとともに、帯状の部材を取付け孔に係止させる作業が煩雑である。
【０００５】
また、前記ファスナーにて書類入の開口部を止めるものでは、書類入における開口部の対向する二辺同士が当接した状態でなければ、当該開口部を止めることができない。つまり、当該ファスナーにて書類入の開口部を止めるものでは、開口部の二辺同士が当接しない量の収納物が書類入に収納された場合には、当該開口部を止めることができない。
【０００６】
本発明は以上の如き状況に鑑みてなされたものであり、書類入に加工を施す必要がなく書類入の開口部を止めることができ、収納物の量に応じて柔軟に書類入の開口部を止めることができ、書類入の封緘作業を容易に行うことができるものを提供することを課題とする。
【課題を解決するための手段】
【０００７】
本発明の解決しようとする課題は以上の如くであり、次にこの課題を解決するための手段を説明する。
【０００８】
即ち、請求項１においては、書類入を封緘する封緘シートであって、再粘着再剥離可能な粘着部を裏面に有し、前記書類入の開口部に渡らせるとともに、前記粘着部を前記書類入に粘着させて前記書類入の開口部の一部を止めるものである。
【０００９】
請求項２においては、前記粘着部は、少なくとも前記裏面の両端部に配置されるものである。
【００１０】
請求項３においては、前記両端部における縁部の形状が、異なるように構成されるものである。
【発明の効果】
【００１１】
本発明の効果として、以下に示すような効果を奏する。
【００１２】
即ち本発明に係る封緘シートによれば、書類入に加工を施す必要がなく書類入の開口部を止めることができ、収納物の量に応じて柔軟に書類入の開口部を止めることができ、書類入の封緘作業を容易に行うことができる。
【図面の簡単な説明】
【００１３】
【図１】本発明の実施形態に係る封緘シートの全体的な構成を示した斜視図。
【図２】（ａ）は本発明の実施形態に係る封緘シートの折線ガイドを示した拡大図、（ｂ）は本発明の実施形態に係る封緘シートの裏面図。
【図３】（ａ）は本発明の実施形態に係る封緘シートを二つ折りにする状態を示した斜視図、（ｂ）は本発明の実施形態に係る封緘シートを二つ折りにする状態を示した斜視図、（ｃ）は本発明の実施形態に係る封緘シートを二つ折りにする状態を示した斜視図。
【図４】本発明の実施形態に係る封緘シートを用いた状態を示した斜視図。
【図５】本発明の実施形態に係る封緘シートを用いた状態を示した斜視図。
【図６】本発明の実施形態に係る封緘シートを用いた状態を示した斜視図。
【図７】（ａ）は本発明の実施形態に係る封緘シートを用いた状態を示した斜視図、（ｂ）は本発明の実施形態に係る封緘シートを用いた状態を示した斜視図。
【図８】本発明の実施形態に係る封緘シートにて開口部が止められた書類入を収納した状態を示した斜視図。
【図９】（ａ）は本発明の実施形態に係る封緘シートを用いた状態を示した斜視図、（ｂ）は本発明の実施形態に係る封緘シートを用いた状態を示した斜視図。
【図１０】（ａ）は本発明の実施形態に係る封緘シートの裏面図、（ｂ）は本発明の実施形態に係る封緘シートの裏面図。
【図１１】（ａ）は本発明の実施形態に係る封緘シートの表面図、（ｂ）は本発明の実施形態に係る封緘シートの表面図、（ｃ）は本発明の実施形態に係る封緘シートの表面図。
【図１２】（ａ）は本発明の実施形態に係る封緘シートの表面図、（ｂ）は本発明の実施形態に係る封緘シートの表面図、（ｃ）は本発明の実施形態に係る封緘シートの表面図。
【発明を実施するための形態】
【００１４】
次に、図１から図１２を用いて、発明の実施の形態を説明する。
本発明の実施形態に係る封緘シート１は、書類入８０を封緘するものである。ここで書類入８０とは、書類、写真、新聞、またはカード類等の収納物８１を、綴じたり、はさんだりして収納するものであり、フォルダ８０Ａやファイル８０Ｂやファイル用のリフィル８０Ｃやバインダ等を示す（図４から図９参照）。
【００１５】
また、封緘シート１は、主にフィルム素材のシート状の部材で構成され、基部１０と端部２０と備え、その裏面に粘着部４０を有する。そして、封緘シート１は、フォルダ８０Ａの開口部８２に渡らせるとともに、フォルダ８０Ａの表紙を挟むようにしてフォルダ８０Ａにおける表紙のそれぞれの表面にこの粘着部４０を粘着させて、書類入８０の開口部８２の一部を止めて書類入８０を封緘するものである。
【００１６】
封緘シート１の基部１０は、図１に示す如く、封緘シート１における長手方向中央部に配置され、略四角の角部を面取りしたような形状に形成される。
また、封緘シート１の基部１０は、前記長手方向略中央部に、折線ガイド１１を備える。
封緘シート１における基部１０の折線ガイド１１は、封緘シート１を二つ折りにする際の案内とされるものであり、その基部１０の表面から裏面に向かって凹むように形成されるとともにその短手方向の端部渡って筋状に形成される（図２（ａ）参照）。
封緘シート１の基部１０がこのように折線ガイド１１を備えることにより、容易に封緘シート１を二つ折りにすることができる（図３参照）。
また、封緘シート１は、基部１０の折線ガイド１１を中心として略対称形状となるように構成される。
【００１７】
封緘シート１の基部１０は、その表面に、書類入８０に収納された収納物８１の種々の情報やこれに関する見出しを記載または印字するための見出し部１２を有する。封緘シート１における基部１０の見出し部１２は、基部１０の短手方向に略平行な二本の線が、基部１０の折線ガイド１１を中心として両方の基部１０の表面にそれぞれ描かれることにより構成される。
【００１８】
封緘シート１の端部２０は第一端部２１と第二端部２２とからなり、封緘シート１の基部１０から、封緘シート１の長手方向に向かってそれぞれ突出するようにして配置される。
封緘シート１の第一端部２１は、封緘シート１の基部１０における一方の短手方向の辺から突出するとともに、その縁部が円弧状に形成される。封緘シート１における第一端部２１と基部１０との境界部分には、滑らかな曲線状に括れる第一括れ部３１・３１が形成される。
封緘シート１の第一端部２１は、種々の情報（例えば、ロゴマーク、巻数、アルファベット等の記号）を表示する表示部２３を有する。封緘シート１における第一端部２１の表示部２３は、第一端部２１の縁部を残してこれの表面を丸状に着色または透明にして構成される。
【００１９】
封緘シート１の第二端部２２は、封緘シート１の基部１０における他方の短手方向の辺から突出するとともに、その縁部が円弧状に形成され、さらに、切欠き部２４を有する。
封緘シート１における第二端部２２の切欠き部２４は、その第二端部２２における縁部の先端が反円弧状に切り欠かれて形成される。このように封緘シート１の第二端部２２が切欠き部２４を有することにより、封緘シート１の第一端部２１と第二端部２２（両端部）とにおける縁部の形状が、異なるように構成される。
封緘シート１における第二端部２２と基部１０との境界部分には、滑らかな曲線状に括れる第二括れ部３２・３２が形成される。
【００２０】
封緘シート１は、図２（ｂ）に示す如く、その裏面に粘着部４０を有する。
封緘シート１の粘着部４０は、裏面全体に設けられ、再粘着再剥離可能に構成される。封緘シート１の粘着部４０は、このように裏面全体に設けられることにより、少なくとも封緘シート１における第一端部２１の裏面および第二端部２２の裏面（裏面の両端部）に配置される。
封緘シート１における再粘着再剥離可能な粘着部４０は、粘着対象に粘着した状態から剥離させることができるとともに、剥離させた状態から再度粘着対象に粘着させることができる粘着力を有する。
以上のように、封緘シート１は構成される。
【００２１】
そして、封緘シート１では、図３に示す如く、封緘シート１における基部１０の折線ガイド１１を中心としてこれを二つ折りに折り曲げて、当該折線ガイド１１を中心とした一方の裏面と他方の裏面とを粘着させることができる。
このように封緘シート１を二つ折にした場合には、封緘シート１はその第二端部２２の切欠き部２４を除いて略対称となるように構成されるため、封緘シート１の第一端部２１における切欠き部２４に相当する部分以外の部分の粘着部４０が露出しないこととなる。このため、（例えば封緘シート１の不使用時に）封緘シート１を前述のように二つ折りに折り曲げることにより、封緘シート１の使用者の意に反して、大部分（封緘シート１の第一端部２１における切欠き部２４に相当する部分以外の部分）の粘着部４０が何処かに粘着してしまうことを防止することができる。
【００２２】
封緘シート１の第二端部２２が切欠き部２４を有することにより、封緘シート１の第一端部２１と第二端部２２（両端部）とにおける縁部の形状が、異なるように構成される。
このため、上述のように封緘シート１の第一端部２１と第二端部２２（両端部）が重なりあうように二つ折りにした場合に、封緘シート１の第一端部２１における切欠き部２４に相当する部分以外の部分（封緘シート１の第一端部２１のうち第二端部２２と重なり合ってない部分）を摘んで、前記二つ折りにした封緘シート１を容易に広げることができる。
【００２３】
次に、封緘シート１にて書類入８０の開口部８２の一部を止めて書類入８０を封緘する例として、書類入８０であるフォルダ８０Ａを用いて説明する。
ここで、フォルダ８０Ａは、図４に示す如く、所謂クリアフォルダであり、樹脂素材からなる二枚の表紙を備え、前記表紙における連続する所定の二辺がそれぞれ接合されて構成される。また、フォルダ８０Ａは、前記表紙における接合されていない連続する二辺同士にて構成される開口部８２を有する。そして、フォルダ８０Ａは、その開口部８２から前記二枚の表紙の間に収納物８１である書類を収納してこれを保持可能に構成される。
このように構成されるフォルダ８０Ａにおける開口部８２の一部に封緘シート１の裏面を向けて、これに沿うように封緘シート１の折線ガイド１１を位置させる。そして、封緘シート１（基部１０）をフォルダ８０Ａの開口部８２に渡らせるとともに、フォルダ８０Ａの表紙を挟むようにして前述のように封緘シート１の折線ガイド１１を中心として封緘シート１を二つ折りに折り曲げて、フォルダ８０Ａにおける表紙のそれぞれの表面に封緘シート１の粘着部４０を粘着させる。このようにして、封緘シート１は、フォルダ８０Ａの開口部８２の一部を止めてフォルダ８０Ａを封緘して、開口部８２が開くことを妨げるとともに、収納物８１が当該フォルダ８０Ａの開口部８２から脱落することを制止する。
したがって、封緘シート１によれば、フォルダ８０Ａに収納された収納物８１が、フォルダ８０Ａの開口部８２から脱落することを防止することができる。
【００２４】
封緘シート１は、フォルダ８０Ａの開口部８２の一部を止めてフォルダ８０Ａを封緘するものであるが、フォルダ８０Ａの開口部８２の全体を止めてフォルダ８０Ａを封緘するものではない。このため、封緘シート１によれば、フォルダ８０Ａの封緘作業や前記封緘の開放作業を容易に行うことができる。また、フォルダ８０Ａを封緘した状態でも、収納物８１の脱落を防止しつつ、フォルダ８０Ａの開口部８２の止められていない部分から容易に収納物８１を取り出すこともできる。
【００２５】
封緘シート１では、その裏面に再粘着再剥離可能な粘着部４０を有し、その粘着部４０をフォルダ８０Ａにおける表紙に粘着させるだけで、フォルダ８０Ａの開口部８２の一部を止めてフォルダ８０Ａを封緘し、また、前記フォルダ８０Ａの表紙に粘着された粘着部４０を剥離させるだけで、前記封緘を開放することができる。このため、封緘シート１では、フォルダ８０Ａに加工を施す必要がなくフォルダ８０Ａの開口部８２を止めることができ、フォルダ８０Ａの封緘作業や前記封緘の開放作業を容易に行うことができる。
【００２６】
封緘シート１では、フォルダ８０Ａにおける二枚の表紙のうちいずれか一方の表紙のみから、フォルダ８０Ａの表紙に粘着している粘着部４０を剥離させることができる。
このため、封緘シート１のよれば、フォルダ８０Ａの開口部８２を止めない場合には、フォルダ８０Ａにおける二枚の表紙のうちいずれか一方の表紙における表面と裏面とにこれを粘着させて、フォルダ８０Ａに封緘シート１を備えたような状態にして、いつでもフォルダ８０Ａの開口部８２を止めることができる状態にしておくこができる（図５参照）。
また、封緘シート１では、フォルダ８０Ａに収納される収納物８１である書類のうち一部の収納物８１に、封緘シート１の折線ガイド１１を中心とした一方の裏面を粘着させておくこともできる。このようにして、封緘シート１をしおりのようにして用いることもできる（図６参照）。
【００２７】
さらに、このように構成される封緘シート１では、フォルダ８０Ａの開口部８２を止める場所を任意に選択することができる。
このため、封緘シート１では、フォルダ８０Ａに収納される収納物８１の大きさに応じて、当該収納物８１がフォルダ８０Ａから脱落しにくい最適な位置に、これを配置することができる。
例えば、フォルダ８０Ａに収納される収納物８１が小さい場合には、フォルダ８０Ａにおける表紙の二辺の接合部分近傍に封緘シート１を配置し、また、開口部８２に複数個の配封緘シート１を置する（図７（ａ）参照）。
このようにして、封緘シート１によれば、フォルダ８０Ａに収納される収納物８１の大小にかかわらず、開口部８２の一部を止めてフォルダ８０Ａを封緘し、フォルダ８０Ａから収納物８１が脱落することを防止することができる。
【００２８】
封緘シート１はシート状の部材であり、その粘着部４０は少なくとも封緘シート１の第一端部２１の裏面および第二端部２２の裏面（裏面の両端部）に配置される。
このため、封緘シート１では、フォルダ８０Ａにおける開口部８２の対向する二辺同士が当接しない量の収納物８１をこれに収納する場合にも、封緘シート１（基部１０）をフォルダ８０Ａの開口部８２に渡らせるとともに、フォルダ８０Ａにおける表紙の外側の面に封緘シート１の粘着部４０を粘着させて、フォルダ８０Ａの開口部８２の一部を止めることができる（図７（ｂ）参照）。
したがって、封緘シート１によれば、フォルダ８０Ａに収納される収納物８１の量（収納物８１の厚み）に応じて柔軟にフォルダ８０Ａの開口部８２の一部を止めてフォルダ８０Ａを封緘することができる。
【００２９】
また、封緘シート１によれば、フォルダ８０Ａの開口部８２からはみ出ないようにこれを配置することも、また、フォルダ８０Ａの開口部８２からはみ出るようにも配置することができる。即ち、封緘シート１が邪魔になるような場合には、フォルダ８０Ａの開口部８２からはみ出ないように封緘シート１を配置する。他方、フォルダ８０Ａの開口部８２からはみ出るように封緘シート１を配置した場合には、これをインデックスとして機能させることができる。
【００３０】
ここで、金属製のクリップで開口部８２を止めたフォルダ８０Ａであれば、前記クリップの厚み分、フォルダ８０Ａが分厚くなるため、複数のフォルダ８０Ａを収納（例えば、カバンやキャビネット等に並べてまたは重ねて収納）することが困難な場合がある。
もっとも、封緘シート１は、シート状の部材であるため、封緘シート１で開口部８２を止めたフォルダ８０Ａであっても、フォルダ８０Ａがほとんど分厚くならず、複数のフォルダ８０Ａを整然と収納することができる（図８参照）。
【００３１】
また、金属製のクリップで開口部８２を止めたフォルダ８０Ａが複数個収納されている場合であって、当該フォルダ８０Ａを取り出す際には、前記クリップ同士が引っかかって開口部８２から当該クリップが外れてしまい、フォルダ８０Ａの封緘が開放される場合がある。
もっとも、封緘シート１は、シート状の部材であり、その粘着部４０は少なくとも封緘シート１における第一端部２１の裏面および第二端部２２の裏面（裏面の両端部）に配置されるため、封緘シート１では、複数個収納されたフォルダ８０Ａを取り出す際にも、封緘シート１同士が引っかかって開口部８２から封緘シート１が外れてしまうこと、を低減させることができる。
【００３２】
ここで、封緘シート１の端部２０が四角形状に構成されていた場合には、フォルダ８０Ａを封緘した封緘シート１の粘着部４０を、その端部２０から剥離させる際に、端部２０における四角形状の角部はめくりやすく、当該角部以外の部分はめくり難いこととなる。
もっとも、封緘シート１における第一端部２１の縁部は、円弧状に形成されるため、フォルダ８０Ａを封緘した封緘シート１の粘着部４０を、その第一端部２１から剥離させる際には、円弧状のどの部分からも剥離させることができる。したがって、封緘シート１では、フォルダ８０Ａの前記封緘の開放作業を容易に行うことができる。
【００３３】
封緘シート１では、その基部１０が略四角形状に、その第一端部２１および第二端部２２の縁部がそれぞれ円弧状に形成される。また、封緘シート１における第一端部２１と基部１０との境界部分には第一括れ部３１・３１が、封緘シート１における第二端部２２と基部１０との境界部分には第二括れ部３２・３２が、それぞれ形成される。
このように封緘シート１の第一括れ部３１・３１および第二括れ部３２・３２が形成されることにより、封緘シート１の第一端部２１および第二端部２２と基部１０とが、それぞれ外観上において封緘シート１の第一括れ部３１・３１および第二括れ部３２・３２で区切られているように見せて、それぞれ別の用途に用いられることを示唆している。
例えば、封緘シート１の基部１０は、見出し部１２を有するので、フォルダ８０Ａに収納された収納物８１の種々の情報やこれに関する見出しを当該見出し部１２に記載または印字する用途に用いられること、封緘シート１の第一端部２１は表示部２３を有するのでこれにロゴマーク等の記号を表示する用途に用いられること、または、封緘シート１の第一端部２１および第二端部２２は、フォルダ８０Ａを封緘した封緘シート１を剥離し始める部分として用いること等を示唆している。
【００３４】
このように、封緘シート１は、再粘着再剥離可能な粘着部４０をその裏面に有し、フォルダ８０Ａ（書類入８０）の開口部８２に渡らせるとともに、その粘着部４０をフォルダ８０Ａ（書類入８０）に粘着させて、フォルダ８０Ａ（書類入８０）の開口部８２の一部を止める。
また、封緘シート１は、基部１０と、端部２０と備える。
封緘シート１の基部１０は、封緘シート１における長手方向中央部に配置され、略四角の角部を面取りしたような形状に形成される。
封緘シート１の端部２０は第一端部２１と第二端部２２とからなり、封緘シート１の基部１０から、封緘シート１の長手方向に向かってそれぞれ突出するようにして配置される。
封緘シート１の第一端部２１は、封緘シート１の基部１０における一方の短手方向の辺から突出するとともに、その縁部が円弧状に形成される。封緘シート１の第二端部２２は、封緘シート１の基部１０における他方の短手方向の辺から突出するとともに、その縁部が円弧状に形成され、さらに、切欠き部２４を有する。
封緘シート１における第二端部２２の切欠き部２４は、封緘シート１の第二端部２２における縁部の先端が反円弧状に切り欠かれて形成される。このように封緘シート１の第二端部２２が切欠き部２４を有することにより、封緘シート１の第一端部２１と第二端部２２（両端部）とにおける縁部の形状が、異なるように構成される。
【００３５】
このため、封緘シート１によれば、書類入８０に加工を施す必要がなく書類入８０の開口部８２を止めることができ、収納物８１の量（収納物８１の厚み）に応じて柔軟に書類入８０の開口部８２を止めることができ、書類入８０の封緘作業を容易に行うことができる。
また、封緘シート１によれば、これで開口部８２を止めた書類入８０であっても、書類入８０がほとんど分厚くならず、複数のフォルダ書類入８０を整然と収納することができる。
【００３６】
なお、封緘シート１は、図９（ａ）に示す如く、所謂ファイル８０Ｂの開口部８２の一部を止めてファイル８０Ｂを封緘するために用いられても良い。ファイル８０Ｂは、二枚の表紙と、二枚の表紙に連接されるとともに内側に綴じ具を有する背表紙と、を備え、二枚の表紙における背表紙に連設されている辺以外の辺にて、開口部８２を構成する。
また、封緘シート１は、図９（ｂ）に示す如く、所謂ファイル用のリフィル８０Ｃの開口部８２の一部を止めてリフィル８０Ｃを封緘するために用いられても良い。リフィル８０Ｃは、二枚の表紙の側辺および下辺同士が接合されて構成され、一方の側辺に綴じ孔を、上部に開口部８２を有する。
【００３７】
封緘シート１の粘着部４０は、その裏面全体に配置されることに限定するものではなく、その裏面の一部に配置されても良い。例えば、封緘シート１の粘着部４０は、図１０（ａ）に示す如く、その裏面における第一端部２１および第二端部２２と基部１０の一部とに、それぞれ配置されても良い。
また、図１０（ｂ）に示す如く、封緘シート１の粘着部４０を端部２０の縁部に配置しないようにして、封緘シート１がその縁部に摘み部２５を有する構成としても良い。このように、封緘シート１が摘み部２５を有する構成とすることにより、当該摘み部２５をつまんでこれを引っ張ることができるため、フォルダ８０Ａに粘着された封緘シート１の粘着部４０を容易に剥離させることができる。したがって、封緘シート１によれば、フォルダ８０Ａの封緘の開放作業を容易に行うことができる。
【００３８】
封緘シート１は、その第一括れ部３１・３１と第二括れ部３２・３２を備えない構成としても良い。即ち、封緘シート１の第一端部２１および第二端部２２は、封緘シート１の基部１０における一方の短手方向の辺から突出せずに、封緘シート１の基部１０における長手方向の辺から突出しても良い。例えば、図１１（ａ）に示す如く、封緘シート１における第一端部２１および第二端部２２と基部１０との境界部分の縁部が、封緘シート１における基部１０の長手方向の縁部に略直線状に接続しても良い。また、図１１（ｂ）に示す如く、封緘シート１の基部１０における短手方向の幅よりも大きくなるように、第一端部２１および第二端部２２が基部１０の長手方向の辺から突出しても良い。
さらに、封緘シート１の第二端部２２は、封緘シート１における第二端部２２の切欠き部２４を有することに限定するものではなく、図１１（ｃ）に示す如く、封緘シート１における第二端部２２の縁部の先端が切欠かれずに、円弧状のままであっても良い。さらに、封緘シート１の第二端部２２にも表示部２３を有する構成としても良い。
【００３９】
封緘シート１の第二端部２２に切欠き部２４を有する形状の他に、円弧と四角、円弧と三角、大きい円弧と小さい円弧、等にそれぞれ形成して、封緘シート１の両端部（第一端部２１と第二端部２２）が異なるように構成しても良い。
【００４０】
図１２（ａ）に示す如く、封緘シート１を着色することにより、封緘シート１そのものをインデックスとして機能させることができる。
また、図１２（ａ）においては、封緘シート１の表示部２３にロゴマークを表示した場合の例を示している。図１２（ｂ）に示す如く、封緘シート１は、その端部２０にロゴマークを表示するとともに、その縁部の形状をロゴの外形を表したような形状とすることものできる。図１２（ｃ）に示す如く、封緘シート１は、その端部２０（および基部１０）をキャラクターで構成することもできる。さらに、封緘シート１は、その表面全体に一つの絵柄や模様等のデザインを施すことも可能である。
【符号の説明】
【００４１】
１  封緘シート
１０  基部
２０  端部
４０  粘着部
８０  書類入
８２  開口部
【図１】
2011154329.tif 000003
【図２】
2011154329.tif 000004
【図３】
2011154329.tif 000005
【図４】
2011154329.tif 000006
【図５】
2011154329.tif 000007
【図６】
2011154329.tif 000008
【図７】
2011154329.tif 000009
【図８】
2011154329.tif 000010
【図９】
2011154329.tif 000011
【図１０】
2011154329.tif 000012
【図１１】
2011154329.tif 000013
【図１２】
2011154329.tif 000014